(57)【要約】【課題】長手方向に延びる畝が並列する表面シートを備え、幅方向に延びる条溝を設けた吸収性物品であるにもかかわらず、畝を伝わってきた経血を確実に引き込むことができ、伝い流れ漏れを確実に防止することができる吸収性物品を提供すること。【解決手段】本発明の生理用ナプキン１は、表面シート２、裏面シート３、吸収体４及び条溝５を具備する。本発明の表面シート２は、肌当接面側に長手方向に延び且つ幅方向に交互に並列する畝２１と溝２２とを有している。本発明の条溝５は、長手方向前後領域の少なくとも一方に幅方向に延び、条溝の底部５ａに圧搾部５１と非圧搾部５２とが交互に形成されており、圧搾部の表面５１ａは吸収体の表面４ａよりも下方に、非圧搾部の表面５２ａは吸収体の表面４ａよりも上方に位置し、非圧搾部５１は、その繊維密度が表面シートの畝２１の繊維密度よりも高く且つ繊維状態を維持している。【選択図】図３
2010094534.tif 000002
【特許請求の範囲】
【請求項１】
肌当接面側に表面シート、非肌当接面側に裏面シート及びこれら両シート間に吸収体が配置されてなり、該表面シートと該吸収体とを圧縮して形成される条溝を具備する縦長の吸収性物品において、
前記表面シートは繊維集合体からなり、肌当接面側に長手方向に延び且つ幅方向に交互に並列する畝と溝とを有し、
前記条溝は、前記吸収性物品の長手方向前後領域の少なくとも一方に幅方向に延び、該条溝の延びる方向に沿って、該条溝の底部に圧搾部と非圧搾部とが交互に並列して形成されており、該圧搾部の表面は、前記吸収体の表面よりも下方に位置し、前記非圧搾部の表面は、前記吸収体の表面よりも上方に位置しており、該非圧搾部における前記表面シートは、その繊維密度が前記表面シートの前記畝の繊維密度よりも高く且つフィルム状態とならずに維状態を維持している吸収性物品。
【請求項２】
前記条溝の底部の圧搾部それぞれは、平面視して前記吸収性物品の長手方向に長い略長方形状であり、該圧搾部それぞれの幅は、前記表面シートの前記溝の幅よりも大きい請求項１に記載の吸収性物品。
【請求項３】
前記圧搾部と隣接する前記圧搾部との間隔は、それぞれ、前記表面シートの前記畝の幅及び前記表面シートの前記溝の幅の和の５０％より大きく、１００％より小さい請求項１又は請求項２に記載の吸収性物品。
【請求項４】
前記圧搾部それぞれの長さは、前記表面シートの前記畝の高さの５０％以上であって、２００％以下である請求項１〜３の何れかに記載の吸収性物品。
【請求項５】
前記条溝の底部の非圧搾部の表面が、前記表面シートの前記溝の表面より上方に位置している請求項１〜４の何れかに記載の吸収性物品。
【発明の詳細な説明】
【技術分野】
【０００１】
本発明は、生理用ナプキン、失禁パッド、使い捨ておむつ等の吸収性物品に関する。
【背景技術】
【０００２】
従来、経血の長時間の肌へのはり付きや生理用ナプキンの長時間の肌への接触等によるかゆみやかぶれ等の肌トラブルを解消するために、表面に凹凸形状を有する表面シートを使用し、肌への接触面積を低減し装着感を向上させている。
例えば、引用文献１には、表面に凹凸形状を有する表面シートを使用し、この表面シートと吸収体とを固定するエンボスを略長円状に連結した環状エンボスを設けた生理用ナプキンの技術が開示されている。
【０００３】
このように、引用文献１に記載の生理用ナプキンは、表面シートにランダムな凹凸形状を有するため、肌への接触面積を低減し装着感を向上させさせることができるが、ムレを解消することができない。
そこで、生理用ナプキンのムレを無くし、肌トラブルをさらに解消するために、長手方向に延びる畝が並列する、空気が通る道を有する表面シートを備えた生理用ナプキンが考えられる。
しかしながら、このような表面シートを備えた生理用ナプキンは、空気が通る道を有する一方、経血が肌に接する畝を伝わって、あるいは畝と畝の間の肌を伝わって、伝い流れ漏れをしてしまう可能性がある。
そこで、伝い流れ漏れを防止するため、生理用ナプキンの長手方向前後領域に幅方向に連続して延びる圧搾条溝を設けることが考えられるが、表面シートや吸収体等の構造が大きく変化して液の通過性を阻害するほど圧搾されてしまうと、畝を伝わってきた経血を確実に引き込むことができず、伝い流れ漏れを確実に防止することができない。また、表面シートの構造変化が大きい程、表面シートの特徴を減殺してしまう。
【先行技術文献】
【特許文献】
【０００４】
【特許文献１】特開２００４−４６５号公報
【発明の概要】
【発明が解決しようとする課題】
【０００５】
したがって、本発明の目的は、長手方向に延びる畝が並列する表面シートを備え、幅方向に延びる条溝を設けた吸収性物品であるにもかかわらず、畝を伝わってきた経血を確実に引き込むことができ、伝い流れ漏れを確実に防止することができる吸収性物品を提供することにある。また、長手方向に延びる畝が並列する表面シートの特徴を減殺しない条溝を設けた吸収性物品を提供することにある。
【課題を解決するための手段】
【０００６】
本発明は、肌当接面側に表面シート、非肌当接面側に裏面シート及びこれら両シート間に吸収体が配置されてなり、該表面シートと該吸収体とを圧縮して形成される条溝を具備する縦長の吸収性物品において、前記表面シートは繊維集合体からなり、肌当接面側に長手方向に延び且つ幅方向に交互に並列する畝と溝とを有し、前記条溝は、前記吸収性物品の長手方向前後領域の少なくとも一方に幅方向に延び、該条溝の延びる方向に沿って、該条溝の底部に圧搾部と非圧搾部とが交互に並列して形成されており、該圧搾部の表面は、前記吸収体の表面よりも下方に位置し、前記非圧搾部の表面は、前記吸収体の表面よりも上方に位置しており、該非圧搾部における前記表面シートは、その繊維密度が前記表面シートの前記畝の繊維密度よりも高く且つフィルム状態とならずに維状態を維持している吸収性物品を提供することにより前記目的を達成したものである。
【発明の効果】
【０００７】
本発明の吸収性物品によれば、長手方向に延びる畝が並列する表面シートの畝を伝わってきた経血を条溝で確実に引き込むことができ、伝い流れ漏れを確実に防止することができる。
【図面の簡単な説明】
【０００８】
【図１】本発明の吸収性物品（生理用ナプキン）の一実施形態の平面図である。
【図２】図１に示す実施形態の要部であるP部分の拡大図である。
【図３】（ａ）図２におけるＸ１−Ｘ１線断面図である。（ｂ）図２におけるＸ２−Ｘ２線断面図である。
【図４】図１に示す実施形態の要部であるP部分の拡大斜視図である。
【図５】本発明の吸収性物品（生理用ナプキン）に使用する表面シートの一例を示す斜視図である。
【発明を実施するための形態】
【０００９】
以下、本発明の吸収性物品である生理用ナプキンの好ましい一実施形態について、図１〜図５に基づいて説明する。尚、各図中、同一符号は同一又は同等の構成要素を示している。
【００１０】
本実施形態の吸収性物品（生理用ナプキン）１は、図１〜図４に示すように、縦長であり、肌当接面側に液透過性の表面シート２、非肌当接面側に裏面シート３及びこれら両シート間に配された吸収体４からなり、該表面シート２と該吸収体４とを圧縮して形成される条溝５を具備している。
前記表面シート２は、肌当接面側に長手方向に延び且つ幅方向に交互に並列する畝２１と溝２２を有し、該畝２１は、中実な繊維集合体からなっている。
前記条溝５は、生理用ナプキン１の長手方向前後領域の少なくとも一方に幅方向に延び、該条溝５の延びる方向に沿って、該条溝５の底部５ａに圧搾部５１と非圧搾部５２とが交互に並列して形成されている。
該圧搾部５１の表面５１ａは、前記吸収体４の表面４ａよりも下方に位置し、該非圧搾部５２の表面５２ａは、前記吸収体４の表面４ａよりも上方に位置しており、該非圧搾部５２における前記表面シート２は、その繊維密度が前記表面シート２の前記畝２１の繊維密度よりも高く且つフィルム状態とならず繊維状態を維持している。
【００１１】
ここで、表面シート２が繊維状態を維持しているとは、条溝５の形成による構造変化が液の通過性を阻害しない程度の状態を示しており、具体的には、表面シート２における繊維と繊維が接近して部分的に融着状態となるフィルム化や繊維の扁平化による積み重なり状態による繊維間空間が殆ど消失した構造となっていない状態であり、好ましくは条溝５の底部５ａの非圧搾部５２における繊維断面の最大幅が、条溝５ではない部分の最大幅の１５０％を超えない状態である。また、本実施形態では非圧搾部５２だけでなく、個々の圧搾部５１においても、その面積の３０％以上が繊維状態であることが通液性の点から好ましい。しかしながら、圧搾部５１は、条溝５の形状の安定性や視認性の点から個々の圧搾部５１の面積の３０％以上がフィルム状態であることが好ましい。
【００１２】
本実施形態の生理用ナプキン１について、詳述すると、本実施形態の生理用ナプキン１の表裏面シート２，３は、図１に示すように、吸収体４の四周から延出する部分で重なり合い、内面同士をヒートシール等により接合して接合部６を形成している。
【００１３】
前記表面シート２は、図１〜図４に示すように、生理用ナプキン１の長手方向に平行なＹ方向に、生理用ナプキン１の長手方向の両端縁に亘って延びる複数の畝２１を有している。また、表面シート２は、図１〜図４に示すように、畝２１と隣接する畝２１との間に溝２２を有している。このように、表面シート２の畝２１と溝２２とは、生理用ナプキン１の幅方向であるＸ方向（Ｙ方向に直交する方向）に交互に並列している。
【００１４】
前記表面シート２の畝２１それぞれの厚み（以下、高さともいう）ｈ１は、図３（ｂ）に示すように、好ましくは、０．５〜５ｍｍであり、更に好ましくは、１〜３ｍｍである。畝２１の厚みｈ１が、５ｍｍより大きければ、畝の頂部から吸収体方向への液吸収力が低下し、肌との間の伝い流れを助長してしまい、０．５ｍｍより小さければ、畝を設けることによる肌への接触面積低減効果が発現しにくい。
ここで、畝２１の厚みｈ１とは、畝２１の頂部２１ａにおける測定値を示す。また、畝２１と溝２２との境界部２３は、図３（ｂ）に示すように、畝２１の頂部２１ａにおける厚みｈ１の半分の厚みの位置と定義する。
【００１５】
前記表面シート２の畝２１それぞれの幅Ｗ１は、図３（ｂ）に示すように、好ましくは、２〜１０ｍｍである。また、本実施形態の生理用ナプキン１の表面シート２の溝２２それぞれの幅Ｗ２は、好ましくは、０．５〜３ｍｍである。
ここで、畝２１の幅Ｗ１とは、畝２１の境界部２３における測定値である。同様に、溝２２の幅Ｗ２とは、溝２２の境界部２３における測定値である。
畝２１の厚みｈ１、畝２１の幅Ｗ１及び溝２２の幅Ｗ２の測定は、マイクロスコープＶＨ‐８０００（キーエンス製）を用い、表面シート２の断面を５０倍〜２００倍に拡大観察して行う。断面は、フェザー剃刀（品番ＦＡＳ‐１０、フェザー安全剃刀（株）製）を用い、表面シート２を切断して得る。
【００１６】
前記表面シート２の畝２１それぞれは、図３（ａ），図３（ｂ），図４及び図５に示すように、畝２１の実質厚みは溝２２より厚く、非肌当接面側が略平坦な形状の繊維集合体となっている。実質厚みとは、表面シート２の断面において同じ位置にある肌当接面側と非肌等接面側を結んだ場合の厚みのことであり、本実施形態における畝２１は、表面シート２の肌当接面と吸収体４の間が構成繊維で満たされており、畝２１内には空洞（繊維同士の間隔ではなく、畝を形成するための空洞）は存在していない。畝２１が忠実な繊維集合体であることにより、畝の型崩れを起こさず、肌への接触面積を低減し装着感を向上させさせることができる。また、畝溝構造の型崩れを起こさず、空気が通る道を確保でき、ムレによる肌トラブルをさらに低減することができる。
【００１７】
前記表面シート２の溝２２それぞれには、図５に示すように、楕円形の開孔２４が、多数形成されている。開孔２４は、図４に示すように、溝２２の延びる方向（Y方向）に沿って一定の間隔を置いて規則的に形成されている。従って、表面シート２には、そのＹ方向に沿って一定の間隔を置いて配置された多数の開孔２４からなる開孔列が、表面シート２のＸ方向に亘って多列に形成された状態となっており、隣り合う２つの開孔列においては、Ｘ方向に関して開孔２４が同じ位置に形成されている。開孔２４を表面シート２の溝部２２に設けることにより、体液の表面シート２から吸収体４への移行を効率的に行うことができ、表面シート２の装着感が向上する。溝２２の開孔２４を除いた部分は、表面シート２の構成繊維で満たされており、非肌当接面側が略平坦な形状の繊維集合体となっている。
【００１８】
本実施形態の生理用ナプキン１の条溝５は、図１に示すように、生理用ナプキン１の長手方向前後領域に幅方向（Ｘ方向）に延びて形成されている。条溝５は、例えば、就寝時の斜め寝姿勢時の伝い流れ漏れを防止するために、生理用ナプキン１の長手方向後方領域にのみ設けられていても良い。条溝５は、表面シート２と吸収体４とを固着するものであり（図３（ａ）参照）、図２に示すように、条溝５の底部５ａには、条溝５の延びるＸ方向に、圧搾部５１と非圧搾部５２とが交互に並列して形成されている。ここで、非圧搾とは、全く圧搾されていないという意味ではなく、非圧搾に近い、弱圧で圧搾されることも含む概念である。
【００１９】
前記条溝５の底部５ａの圧搾部５１及び非圧搾部５２は、図３（ａ），図４に示すように、圧搾部５１の表面５１ａそれぞれが、吸収体４の表面４ａよりも下方に位置し、非圧搾部５２の表面５２ａそれぞれは、吸収体４の表面４ａよりも上方に位置している。本実施形態の生理用ナプキン１では、非圧搾部５２の表面５２ａそれぞれが、吸収体４の表面４ａより上方に位置する表面シート２の溝２２の表面２２ａより更に上方に位置している。
尚、図３（ａ）に示す表面シート２の畝２１は、Ｘ１−Ｘ１線から投影した畝２１を示している。
【００２０】
前記圧搾部５１それぞれは、図３（ａ）に示すように、その上面開口５１ｃの幅が、圧搾部５１の表面（底面）５１ａの幅よりも大きく形成されている。即ち、非圧搾部５２それぞれは、Ｘ方向断面において、表面シート２側に凸の曲線を描く輪郭となっている。前記非圧搾部５２における表面シート２は、その繊維密度が表面シート２の畝２１の繊維密度よりも高く形成されているが、図３（ａ）に示すように、非圧搾部５２の表面５２ａは、フィルム化されずに表面シート２を構成する繊維の状態を維持している。
【００２１】
前記非圧搾部５２の表面シート２の繊維密度は、好ましくは、０．００７５〜０．２５ｇ／ｃｍ3、更に好ましくは、０．０２〜０．０８ｇ／ｃｍ3である。また、本実施形態の生理用ナプキン１の表面シート２の畝２１の繊維密度は、好ましくは、０．００３〜０．１ｇ／ｍ3、更に好ましくは、０．０１〜０．０４ｇ／ｍ3である。
ここで、圧搾部５１と非圧搾部５２との境界部５３は、図３（ａ）に示すように非圧搾部５２の表面５２ａでの頂部５２ｂと圧搾部５１の表面５１ａでの底部５１ｂとの中間の位置と定義する。非圧搾部５２の表面シート２の繊維密度は、圧搾部５１と吸収体４とを除去した表面シート２の重量と体積から求める。表面シート２の畝２１の繊維密度は、溝２２を除去した畝２１の重量と体積から求める。体積は、前述した畝２１の厚みｈ１、畝２１の幅Ｗ１及び溝２２の幅Ｗ２を測定した器具を使用して測定する。
【００２２】
前記圧搾部５１それぞれは、図２に示すように、生理用ナプキン１の長手方向（Ｙ方向）に長い略長方形状である。略長方形状の圧搾部５１それぞれの幅Ｗ３は、表面シート２の溝２２の幅Ｗ２よりも大きく形成されている。図２、図３（ａ）に示すように、圧搾部５１それぞれの幅Ｗ３は、好ましくは、０．４〜８ｍｍである。圧搾部５１の幅Ｗ３が、溝２２の幅Ｗ２よりも大きければ、圧搾部と溝部の位置が一致している場合でも畝部の一部を確実に圧搾することができる。  図２に示すように、圧搾部５１それぞれの長さＬ１は、好ましくは、１〜１０ｍｍである。圧搾部５１の長さＬ１は、表面シート２の畝２１の高さｈ１の５０％以上であって、２００％以下に形成されている。圧搾部５１の長さＬ１が、畝２１の高さｈ１の５０％未満である場合には、非圧搾部の高さと条溝のない畝部の高さの差が小さくなるため、長手方向に伝う液を遮断することができなくなり、２００％より大きい場合には、条溝内で身体と直接接触する部分が現われるため同様に長手方向に伝う液を遮断することができなくなる。なお、表面シートの畝の高さｈ１は、表面シートの頂部から吸収体表面までの長さであり、中間シート等が配されている場合には、中間シートも含め計測する。
圧搾部５１は、略長方形状に形成されているが、実際には、開口５１ｃ部の四周それぞれは、円弧に形成されているため（図３（ａ）参照）、圧搾部５１の幅Ｗ３及び長さＬ１は、圧搾部５１と非圧搾部５２との境界部５３における測定値である。測定は、前述した畝２１の幅Ｗ１、溝２２の幅Ｗ２等の測定と同様にして行う。
【００２３】
本実施形態の生理用ナプキン１では、圧搾部５１と隣接する圧搾部５１との間隔Ｗ４は、それぞれ、図３（ａ）に示すように、表面シート２の畝２１の幅Ｗ１及び表面シート２の溝２２の幅Ｗ２の和の５０％より大きく、１００％より小さく形成されている。隣接する圧搾部５１同士の間隔Ｗ４が、畝２１の幅Ｗ１と溝２２の幅Ｗ２との合計値の５０％より大きいと、条溝における圧搾部の占有する割合が高くなって非圧搾部が形成されにくく、液と接触し吸収体へと導く効果が低くなり、１００％より小さいと、非圧搾部と畝の差が無くなり条溝としての液を遮断する機能が低下する。
ここで、間隔Ｗ４とは、図２、図３（ａ）に示すように、圧搾部５１の境界部５３でのＸ方向中央部と隣接する圧搾部５１の境界部５３でのＸ方向中央部との間の長さと定義する。
【００２４】
本実施形態の生理用ナプキン１の表面シート２としては、表面シート２の畝２１それぞれが、図３（ａ），図３（ｂ），図４及び図５に示すように、中実な繊維集合体となっている。そのため、表面シート２の製法は、畝部に空間が生じるような製法、加熱した凸状ピンと多列の凹条部とにより表面シートに畝溝構造を形成する製法等ではなく、例えば、支持体（ネット）上にウエブを積繊した後、溝となる部分を吸引又は溝となる部分に気体を噴射してウエブに凹凸構造を付与し、それを加熱する製法が考えられる。この製法によれば、畝部が繊維集合体で中実となっている畝溝構造を有する表面シート２を形成することができる。本実施形態の生理用ナプキン１の表面シート２の開孔２４は、畝溝構造を有する表面シートの溝に沿って加熱した穿孔ピンを押圧することにより形成することができる。また、表面シート２を構成する不織布繊維は、各種公知の不織布繊維を用いることができる。
【００２５】
本実施形態の生理用ナプキン１の条溝５は、条溝５の方向（Ｘ方向）に非連続的に延びる圧搾部５１にのみエンボス加工することにより形成することができる。そのように加工することにより、条溝５の非圧搾部５２の表面５２ａはフィルム化されず、表面５２ａには表面シート２を構成する繊維状態を維持することができる。圧搾部５１それぞれは、表面シート２側から裏面シート３側へエンボス加工されており、圧搾部５１の表面５１ａが、吸収体４の表面４ａより下方に位置するまで圧搾することにより形成されている。本実施形態においては、圧搾部５１と隣接する圧搾部５１との間の非圧搾部５２は、フィルム化を防止するためエンボス加工を施しておらず、圧搾部５１の形成に伴い、圧搾部５１と隣接する圧搾部５１との間の表面シート２が下方に引っ張られて形成されている。このように、非圧搾部５２は、下方に引っ張られて形成されるため、図３（ａ），図４に示すように、非圧搾部５２の表面５２ａは、吸収体４の表面４ａより上方に位置している。非圧搾部５２の高さは、隣接する圧搾部５１同士の間隔を短くすれば低く調整でき、間隔を広くすれば高く調整することができる。圧搾部５１のエンボスは、公知のエンボス法を利用することができる。例えば、超音波エンボス、熱エンボスが利用できる。
【００２６】
本実施形態の生理用ナプキン１の裏面シート３及び吸収体４としては、従来の吸収性物品等において用いられる各種材料を用いることができる。裏面シート３としては、例えば、水蒸気透過性で且つ液難透過性のフィルムシートである。また吸収体４としては、例えば、フラッフパルプと高吸収性ポリマー粒子との混合物がティッシュペーパーに包被されて構成されている。
【００２７】
次に上述した本発明の一実施形態の生理用ナプキンを使用した際の作用効果について説明する。
本実施形態の生理用ナプキン１は、図１に示すように、生理用ナプキン１の長手方向（Ｙ方向）の両端縁に亘って延びる複数の畝２１と溝２２とを交互に有する表面シート２を備えている。また、表面シート２の畝２１は、図３（ａ），図３（ｂ），図４及び図５に示すように、中実な繊維集合体で形成されているため、長時間装着しても畝２１が潰れることがなく、肌への接触面積を低減し装着感を向上することができる。また、中実な繊維集合体で形成されている畝２１同士の間の溝２２は、長手方向（Ｙ方向）に延びる空気が通る道となり、生理用ナプキン１のムレを無くし、肌トラブルを解消することができる。
【００２８】
さらに、本実施形態の生理用ナプキン１を就寝時等に使用し、多量の経血が、肌に接する畝２１を伝わり長手方向（Ｙ方向）後方へ伝わったとしても、図１，図２，図４に示すように、生理用ナプキン１には、生理用ナプキン１の長手方向（Ｙ方向）後方領域に幅方向（Ｘ方向）に延びる条溝５が形成されている。条溝５の底部５ａには、図２，図４に示すように、条溝５の延びるＸ方向に、圧搾部５１と非圧搾部５２とが交互に並列して形成されており、図３（ａ），図３（ｂ）に示すように、非圧搾部５２の頂部５２ｂは、畝２１の頂部２１ａより下方に位置し、圧搾部５１の表面５１ａは吸収体４の表面４ａより下方に位置しているため、畝２１を伝い流れてきた経血を条溝５内に確保することができる。図３（ａ）に示すように、非圧搾部５２の頂部５２ｂは、溝２２内に形成されることはないため、溝２２の空気が通る道としての役割を妨げることはない。また、非圧搾部５２の表面５２ａは、フィルム化されておらず且つ表面シート２を構成する繊維の状態を維持しているため、伝い流れてきた経血が多量であったとしても、確実に引き込むことができ、伝い流れによる漏れを確実に防止することができる。
【００２９】
また、本実施形態の生理用ナプキン１は、図３（ａ），図４に示すように、繊維の状態を維持している非圧搾部５２が条溝５内にあるため、着用者の肌に、フィルム化した剛性の高い圧搾部５１が接触することがなく、表面シート２の装着感を減殺することがない。
【００３０】
本発明の吸収性物品は、上述の実施形態の生理用ナプキンに何ら制限されるものではなく、適宜変更可能である。また、上述の実施形態の生理用ナプキンにおける各構成要件は、本発明の趣旨を損なわない範囲で、適宜組み合わせて実施できる。
【００３１】
例えば、上述の生理用ナプキン１の実施形態においては、表面シート２の溝２２それぞれに楕円形の開孔２４が、多数形成されているが、開孔２４の形状は、円形、長円形、三角形、多角形、又はこれらの組み合わせであっても良い。また、溝２２に開孔２４を設けなくても良い。
【００３２】
また、上述の生理用ナプキン１の実施形態において、条溝５の圧搾部５１は、図２に示すように、条溝５の延びるＸ方向に、並んで設けられているが、Ｘ方向から見て、隣接する圧搾部５１同士が重なるように設けられていても良い。
【００３３】
また、上述の生理用ナプキン１の実施形態において、条溝５の圧搾部５１それぞれは、図２に示すように、生理用ナプキン１の長手方向（Ｙ方向）に長い略長方形状であるが、圧搾部５１の形状は、円形、長円形、楕円刑、三角形、多角形、又はこれらの組み合わせであっても良い。
【００３４】
また、上述の生理用ナプキン１の実施形態において、条溝５の非圧搾部５２それぞれは、フィルム化を防止するためエンボス加工を施していないが、非圧搾部５２の表面５２ａがフィルム化せず、表面シート２を構成する繊維の状態を維持する程度に、弱い圧のエンボス加工を施しても良い。
【００３５】
本発明は、生理用ナプキン以外にも、例えば、パンティーライナー、失禁パッド、展開型の使い捨ておむつ、パンツ型の使い捨ておむつ等の吸収性物品に好適に用いることができる。
【符号の説明】
【００３６】
１    吸収性物品（生理用ナプキン）
２    表面シート
３    裏面シート
４    吸水体
４ａ    吸水体の表面
５    条溝
５ａ    条溝の底部
６    接合部
２１    畝
２１ａ    畝の頂部
２２    溝
２２ａ    溝の表面
２３    畝と溝との境界部
２４    開孔
５１    圧搾部
５１ａ    圧搾部の表面、５１ｂ    圧搾部の底部、５１ｃ    圧搾部の開口
５２    非圧搾部
５２ａ    非圧搾部の表面、５２ｂ    非圧搾部の頂部
５３    圧搾部と非圧搾部との境界部
【図１】
2010094534.tif 000003
【図２】
2010094534.tif 000004
【図３】
2010094534.tif 000005
【図４】
2010094534.tif 000006
【図５】
2010094534.tif 000007
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
肌当接面側に表面シート、非肌当接面側に裏面シート及びこれら両シート間に吸収体が配置されてなり、該表面シートと該吸収体とを圧縮して形成される条溝を具備する縦長の吸収性物品において、
前記表面シートは繊維集合体からなり、肌当接面側に長手方向に延び且つ幅方向に交互に並列する畝と溝とを有し、
前記畝は、中実な繊維集合体からなっており、
前記条溝は、前記吸収性物品の長手方向前後領域の少なくとも一方に幅方向に延び、該条溝の底部に圧搾部と非圧搾部とが形成されており、該圧搾部の表面は、前記吸収体の表面よりも下方に位置し、前記非圧搾部の表面は、前記吸収体の表面よりも上方に位置しており、該非圧搾部における前記表面シートは、その繊維密度が前記表面シートの前記畝の繊維密度よりも高く且つフィルム状態とならずに維状態を維持している吸収性物品。
【請求項２】
前記圧搾部は、該圧搾部の面積の３０％以上がフィルム状態である請求項１に記載の吸収性物品。
【請求項３】
前記畝の実質厚みは前記溝より厚い請求項１又は請求項２に記載の吸収性物品。
【請求項４】
前記圧搾部それぞれの長さは、前記表面シートの前記畝の高さの５０％以上であって、２００％以下である請求項１〜３の何れかに記載の吸収性物品。
【請求項５】
前記条溝の底部の非圧搾部の表面が、前記表面シートの前記溝の表面より上方に位置している請求項１〜４の何れかに記載の吸収性物品。